(57)【要約】      （修正有）【課題】演奏者が、自分の体に適合するように、かつ演奏の邪魔にならないように、調節可能な楽器用ストラップを提供する。【解決手段】楽器演奏者が楽器演奏時に装着し、楽器演奏者の楽器演奏を補助するための楽器用ストラップ１０であって、楽器演奏者の両肩に掛けるための肩掛け部材２０と、装着時において楽器演奏者の正面に位置するプレート部材３０と、装着時において楽器演奏者の正面、かつ、プレート部材の下方に位置する、楽器を保持するための楽器保持部材４０と、を備え、装着時において楽器演奏者の頸部の左右からそれぞれ前側に延びる肩掛け部材の上側端部２１ａ及び２１ｂが、紐状部材を介して、プレート部材にそれぞれ連結されており、楽器保持部材の左右から横方向に、２つの紐状部材がそれぞれ延びており、それぞれの紐状部材が、装着時において楽器演奏者の肩より下方に位置する肩掛け部材の下側端部２２ａ及び２２ｂと連結されている。【選択図】図１
0003213224.tif 000002
【実用新案登録請求の範囲】
【請求項１】
楽器演奏者が楽器演奏時に装着し、楽器演奏者の楽器演奏を補助するための楽器用ストラップであって、
楽器演奏者の両肩に掛けるための肩掛け部材と、
装着時において楽器演奏者の正面に位置するプレート部材と、
装着時おいて楽器演奏者の正面、かつ、前記プレート部材の下方に位置する、楽器を保持するための楽器保持部材と、を備え、
装着時において楽器演奏者の頸部の左右からそれぞれ前側に延びる前記肩掛け部材の上側端部が、紐状部材を介して、前記プレート部材にそれぞれ連結されており、
前記楽器保持部材の左右から横方向に、２つの紐状部材がそれぞれ延びており、それぞれの紐状部材が、装着時において楽器演奏者の肩より下方に位置する前記肩掛け部材の下側端部と連結されており、
前記プレート部材は、紐状部材を介して、前記楽器保持部材と連結されており、
前記紐状部材が、長さ調節可能に設けられていることを特徴とする、楽器用ストラップ。
【請求項２】
前記肩掛け部材の左右の前記上側端部と前記プレート部材とを連結する前記紐状部材、並びに、前記プレート部材と前記楽器保持部材とを連結する前記紐状部材が、一本の紐により構成されていることを特徴とする、請求項１に記載の楽器用ストラップ。
【請求項３】
前記肩掛け部材の下側端部と前記楽器保持部材とを連結する前記２つの紐状部材が一本の紐により構成されていることを特徴とする、請求項１又は２に記載の楽器用ストラップ。
【請求項４】
装着時において楽器演奏者の頸部の左から前側に延びる前記肩掛け部材の上側端部は、前記紐状部材を介して、前記楽器演奏者側から見て前記プレート部材の中心より所定距離をもって左側に連結されており、
装着時において楽器演奏者の頸部の右から前側に延びる前記肩掛け部材の上側端部は、前記紐状部材を介して、前記楽器演奏者側から見て前記プレート部材の中心より所定距離をもって右側に連結されていることを特徴とする、請求項１〜３の何れか一項に記載の楽器用ストラップ。
【請求項５】
前記肩掛け部材が、右肩掛け帯状部材と左肩掛け帯状部材との、それぞれ独立した二本の帯状部材であり、
前記右肩掛け帯状部材及び左肩掛け帯状部材の各々の前記上側端部が、前記紐状部材を介して、前記プレート部材と連結しており、
前記右肩掛け帯状部材及び左肩掛け帯状部材の各々の前記下側端部が、前記紐状部材を介して、前記保持部材と連結していることを特徴とする、請求項１〜４の何れか一項に記載の楽器用ストラップ。
【請求項６】
装着時に楽器演奏者の背面に位置する箇所において、前記右肩掛け帯状部材と前記左肩掛け帯状部材とを橋架する帯状橋架部材を備えることを特徴とする、請求項５に記載の楽器用ストラップ。
【請求項７】
前記肩掛け部材の前記下側端部側の所定の領域が、伸縮可能に設けられていることを特徴とする、請求項５又は６に記載の楽器用ストラップ。
【考案の詳細な説明】
【技術分野】
【０００１】
本考案は、楽器演奏者の楽器演奏を補助するための楽器用ストラップに関するものである。
【背景技術】
【０００２】
楽器用ストラップは、楽器の荷重による演奏者への体の負担を軽減するものであり、「ネックストラップ」、「ショルダーストラップ」及び「ハーネスストラップ」等の種々の型が存在する。
【０００３】
特許文献１には、楽器演奏者の頸部の後側に掛けられる首掛け帯を備える楽器用ストラップが記載されており、この楽器用ストラップは、演奏者の首への負担が軽減され、かつ楽な呼吸を達成することが可能となることが記載されている。
【０００４】
特許文献２には、楽器演奏者の両肩に掛けるためのストラップ本体と、該ストラップ本体の両端にそれぞれ連結された支持具と、その一端が前記ストラップ本体の中間部に連結され、しかもその他端が前記支持具の一方に連結され、前記演奏者の一方の腋の下を通るべくなしてある補助ストラップを備える楽器用ストラップが記載されており、この楽器用ストラップは、演奏者の首への負担が軽減され、かつ楽な呼吸を達成することが可能となることが記載されている。
【先行技術文献】
【特許文献】
【０００５】
【特許文献１】特開２００８−３０４９３５号公報
【特許文献２】特開２００７−１１４７１３号公報
【考案の概要】
【考案が解決しようとする課題】
【０００６】
しかし、このような楽器用ストラップは、自分の体に適合しないものを選んでしまうと、体への負担が大きくなってしまうという問題があった。
また、演奏姿勢や動きが制限されてしまい、演奏の邪魔となってしまうという問題があった。
【０００７】
そこで、本考案の目的は、上述した問題点を解消し、演奏者が、自分の体に適合するように、かつ演奏の邪魔にならないように、調節可能な楽器用ストラップを提供することにある。
【課題を解決するための手段】
【０００８】
上記課題を解決する本考案は、楽器演奏者が楽器演奏時に装着し、楽器演奏者の楽器演奏を補助するための楽器用ストラップであって、
楽器演奏者の両肩に掛けるための肩掛け部材と、
装着時において楽器演奏者の正面に位置するプレート部材と、
装着時において楽器演奏者の正面、かつ、前記プレート部材の下方に位置する、楽器を保持するための楽器保持部材と、を備え、
装着時において楽器演奏者の頸部の左右からそれぞれ前側に延びる前記肩掛け部材の上側端部が、紐状部材を介して、前記プレート部材にそれぞれ連結されており、
前記楽器保持部材の左右から横方向に、２つの紐状部材がそれぞれ延びており、それぞれの紐状部材が、装着時において楽器演奏者の肩より下方に位置する前記肩掛け部材の下側端部と連結されており、
前記プレート部材は、紐状部材を介して、前記楽器保持部材と連結されており、
前記紐状部材が、長さ調節可能に設けられていることを特徴とする。
【０００９】
このように、各部材を連結する紐状部材が、長さ調節可能に設けられていることにより、演奏者が、自分の体に適合するように、かつ演奏の邪魔とならないように楽器用ストラップを調節することができる。
また、装着時において楽器演奏者の正面に位置するプレート部材を備え、前記プレートの下方に楽器を保持するための楽器保持部材を備えることにより、演奏時の動きを余計に制限することなく、好みの位置で楽器を保持することが可能となる。
【００１０】
本考案の好ましい形態では、前記肩掛け部材の左右の前記上側端部と前記プレート部材とを連結する前記紐状部材、並びに、前記プレート部材と前記楽器保持部材とを連結する前記紐状部材が、一本の紐により構成されている。
このような構成とすることで、より簡便に楽器用ストラップの調節が可能となる。
【００１１】
本考案の好ましい形態では、前記肩掛け部材の下側端部と前記楽器保持部材とを連結する前記２つの紐状部材が一本の紐により構成されている。
このような構成とすることで、より簡便に楽器用ストラップの調整が可能となる。
【００１２】
本考案の好ましい形態では、装着時において楽器演奏者の頸部の左から前側に延びる前記肩掛け部材の上側端部は、前記紐状部材を介して、前記楽器演奏者側から見て前記プレート部材の中心より所定距離をもって左側に連結されており、
装着時において楽器演奏者の頸部の右から前側に延びる前記肩掛け部材の上側端部は、前記紐状部材を介して、前記楽器演奏者側から見て前記プレート部材の中心より所定距離をもって右側に連結されている。
このような構成とすることで、首が圧迫されるのを抑制することができ、演奏の妨げとならない。
【００１３】
本考案の好ましい形態では、前記肩掛け部材が、右肩掛け帯状部材と左肩掛け帯状部材との、それぞれ独立した二本の帯状部材であり、
前記右肩掛け帯状部材及び左肩掛け帯状部材の各々の前記上側端部が、前記紐状部材を介して、前記プレート部材と連結しており、
前記右肩掛け帯状部材及び左肩掛け帯状部材の各々の前記下側端部が、
前記紐状部材を介して、前記保持部材と連結している。
このような構成とすることで、自由度が高く、より体に適合するように調節することができる。
【００１４】
本考案の好ましい形態では、装着時に楽器演奏者の背面に位置する箇所において、前記右肩掛け部と前記左肩掛け部とを橋架する帯状橋架部材を備える。
このような構成とすることで、楽器用ストラップが肩からずり落ちることを防止することができる。
【００１５】
本考案の好ましい形態では、前記肩掛け部材の前記下側端部側の所定の領域が、伸縮可能に設けられている。
このような構成とすることで、楽器保持部材が楽器を保持した時に、ある程度の伸縮性を持たせることが可能となり、演奏姿勢及び動きが制限されることを抑制することができる。
【考案の効果】
【００１６】
本考案の楽器用ストラップは、演奏者が、自分の体に適合するように、かつ演奏の邪魔とならないように調節することができ、体への負担を軽減し、かつ、より良い演奏をすることが可能となる。
【図面の簡単な説明】
【００１７】
【図１】本考案の一実施形態に係る楽器用ストラップの正面図である。
【図２】本考案の一実施形態に係る楽器用ストラップの装着時における正面図である。
【図３】本考案の一実施形態に係る楽器用ストラップの装着時における背面図である。
【図４】本考案の一実施形態に係る楽器用ストラップの装着時における左側面図である。
【図５】本考案の一実施形態に係る楽器用ストラップのたわみ形成部の拡大図である。
【考案を実施するための形態】
【００１８】
以下、図面を参照して、本考案の実施形態について説明するが、本考案はこれに限られない。
【００１９】
図１に、本実施形態に係る楽器用ストラップ１０の正面図を、図２に本実施形態に係る楽器用ストラップ１０の装着時における正面図を示す。
本実施形態に係る楽器用ストラップ１０は、右肩掛け帯状部材２０ａ、左肩掛け帯状部材２０ｂ、プレート部材３０及び楽器保持部材４０を備える。
【００２０】
本実施形態に係る楽器用ストラップ１０は、装着時において楽器演奏者の頸部の右から前側に延びる右肩掛け帯状部材２０ａの上側端部２１ａ及び左肩掛け帯状部材２０ｂの上側端部２１ｂとプレート部材３０とが，長さ調節手段６０ａ及び６０ｂを備える紐５０ａを介して連結している。また、プレート部材３０と楽器保持部材４０が、前記紐５０ａを介して連結している。
【００２１】
上側端部２１ａ及び上側端部２１ｂが、それぞれ長さ調節手段６０ａ及び６０ｂを備える紐５０ａを介して、プレート部材３０と連結することで、より自分の体に適合するように、かつ演奏の邪魔とならないように調節が可能となる。
また、肩掛け部材２０が、右肩掛け帯状部材２０ａ及び２０ｂにそれぞれ独立している形態とすることで、より自分の体に適合するように、かつ演奏の邪魔にならないように調節可能となる。
さらに、上側端部２１ａ、２１ｂ、プレート部材３０及び楽器保持部材４０がそれぞれ一本の紐５０ａを介して連結する形態とすることで、より調節が容易となる。
【００２２】
また、本実施形態においては、上側端部２１ａ、２１ｂ、プレート部材３０及び楽器保持部材４０がそれぞれ一本の紐５０ａを介して連結する形態について例示したが、本考案はこれに限定されず、上側端部２１ａとプレート部材３０、上側端部２１ｂと、プレート部材３０、プレート部材と楽器保持部材４０を連結する紐状部材５０が、それぞれ独立している形態等であってもよい。
【００２３】
本実施形態に係る楽器用ストラップ１０は、装着時において楽器演奏者の肩より下方に位置する右肩掛け帯状部材２０ａの下側端部２２ａ及び左肩掛け帯状部材２０ｂの下側端部２２ｂが、長さ調節手段６０ｃ及び６０ｄを備える紐５０ｂを介して、楽器保持部材４０と連結している。
【００２４】
下側端部２２ａ及び下側端部２２ｂが、それぞれ長さ調節手段６０ｃ及び６０ｄを備える紐５０ｂを介して、楽器保持部材４０と連結することで、より自分の体に適合するように、かつ演奏の邪魔とならないように調節が可能となる。
また、下側端部２２ａ、下側端部２２ｂ及び楽器保持部材４０がそれぞれ一本の紐５０ｂを介して連結する形態とすることで、より調節が容易となる。
【００２５】
本実施形態に係る右肩掛け帯状部材２０ａ及び左肩掛け帯状部材２０ｂは、それぞれ折り縫い部２３ａ及び折り縫い部２３ｂを有している。
折り縫い部２３は、肩掛け帯状部材２０ａ及び２０ｂの各下側端部２２ａ及び２２ｂ側から、各肩掛け帯状部材の全長の約３分の１長さの位置を、約１００°に折り縫いされている。
このような形態とすることで、違和感なく、より体に適合するように装着することが可能となる。
【００２６】
本実施形態においては、折り縫い部２３の位置及び角度を特定した楽器用ストラップ１０について例示したが、本考案はこれに限定されない。
折り縫い部２３は、下側端部２２ａ及び２２ｂ側であれば、どの位置であってもよく、好ましくは各肩掛け帯状部材２０ａ及び２０ｂの全長の２分の１〜６分の１、より好ましくは全長の２分の１〜５分の１、さらに好ましくは全長の２分の１〜４分の１の位置を折り縫いする。
また、折り縫い部２３は、６０〜１５０°の範囲内で折り縫いしてもよく、好ましくは７０〜１４０°であり、より好ましくは８０〜１３０°であり、さらに好ましくは９０〜１２０°ある。
【００２７】
また、本実施形態においては、楽器用ストラップ１０が折り縫い部２３を有する形態について例示したが、本考案は、折曲部であればどのような形態であっても有することができる。
例えば、各肩掛け帯状部材２０ａ及び２０ｂを、所定の位置、所定の角度で折っただけのものや、各肩掛け帯状部材２０ａ及び２０ｂが、所定の位置、所定の角度で切断されているものであってもよい。
また、本考案においては、肩掛け部材２０が折曲部を有していなくてもよい。
【００２８】
本実施形態においては、肩掛部材２０が、右肩掛け帯状部材２０ａ及び左肩掛け帯状部材２０ｂにそれぞれ独立している形態について例示したが、本考案においては、両肩に掛けることが可能であれば特に限定されない。例えば、前記肩掛け部材２０が、略Ｖ字型、略Ｙ字型及び略Ｘ字型等の形状であってもよい。
なお、本考案において、前記略Ｖ字型、略Ｙ字型及び略Ｘ字型等の形状とは、楽器用ストラップの装着時における、背面側の外形のことをいう。
略Ｘ字型等のように、上側端部２１を二か所、下側端部２２を二か所有している形態においては、上述した本実施形態と同様に、各部材を連結することができる。
略Ｙ字型及び略Ｖ字型のように、下側端部２２が１か所のみの形態においては、当該下側端部２２及び楽器保持部材４０を、長さ調節手段６０を介した紐状部材５０を介して連結させ、紐状部材５０を装着者の体に巻くように装着し、紐状部材５０の両端を下側端部２２側で固定する形態とすることで、下側端部２２を二か所有している形態と同様の効果を得ることができる。
【００２９】
プレート部材３０は、装着時において楽器演奏者の正面に位置し、楽器保持部材４０は、装着時において楽器演奏者の正面、かつ、前記プレート部材の下方に位置する。
【００３０】
本実施形態に係る楽器用ストラップ１０は、上側端部２１ａが、紐５０ａを介して、プレート部材３０の中心より所定距離を持って右側に連結されており、
上側端部２１ｂが、紐５０ａを介して、プレート部材３０の中心より所定距離を持って左側に連結されている。
このような形態とすることで、装着時に、演奏者の首元を圧迫することがないため、気道を十分に確保することができ、楽器に息を吹き込む動作が極めて楽になる。
【００３１】
前記所定距離としては、好ましくは１ｃｍ以上、より好ましくは３ｃｍ以上、より好ましくは５ｃｍ以上、さらに好ましくは７ｃｍ以上、特に好ましくは９ｃｍ以上である。
また、前記所定距離としては、好ましくは２０ｃｍ以下、より好ましくは１８ｃｍ以下、さらに好ましくは１６ｃｍ以下、特に好ましくは１４ｃｍ以下である。
【００３２】
本実施形態に係るプレート部材３０は、幅広の略Ｖ字型であり、装着時における右側端部に及び左端部に右側連結孔３１ａ及び左側連結孔３２ｂを有しており、中心部に中心連結孔３２ａ及び３２ｂを有しており、下側端部に下端連結孔３３ａ及び３３ｂを有している。
【００３３】
本実施形態に係るプレート部材３０は、複数個の前記連結孔が、対称に形成されており、対称となるように所定長さの紐５０ａを各孔に挿通することにより、右肩掛け帯状部材２０ａ、左肩掛け帯状部材２０ｂ、プレート部材３０及び楽器保持部材４０が、一束に束ねられる。具体的には、以下のように連結している。
【００３４】
紐５０ａを二つ折りにし、二つの先端部を下端連結孔３３ａ及び３３ｂにそれぞれ裏面から表面に向かって通す。形成された紐５０ａの輪部分に、二つの先端部をくぐらせ、紐５０ａがプレート部材３０に結ばれた状態にする。
次に、紐５０ａの二つの先端部を、楽器保持部材４０の連結孔４１に通す。
次に、紐５０ａの先端部を、下端連結孔３３ａ及び３３ｂにそれぞれ表面から裏面に向かって（最初に通した面とは逆の面から）通す。
次に、紐５０ａの２つの先端部を、中央連結孔３２ａ及び３２ｂに、それぞれ裏面から表面に向かって通す。
次に、紐５０ａの２つの先端部を、右側連結孔３１ａ及び左側連結孔３２ｂに、表面から裏面に向かって通す。
最後に、長さ調節手段６０ａ及び６０ｂに紐５０ａの２つの先端部をそれぞれ通し、それぞれ上側端部２１ａ及び上側端部２１ｂに通す。
なお、上述した各工程において、紐５０ａは、二つの先端部が交わらないようにそれぞれの部材を連結する。すなわち、下端連結孔３３ａに通した紐５０ａの先端部は、中央連結孔３２ａ、右側連結孔３１ａ、上側端部２１ａを通るように各部材を連結し、下側連結孔３３ｂに通した紐５０ａの先端部は、中央連結
孔３２ｂ、左側連結孔３１ｂ、上側端部２１ｂを通るように、各部材を連結する。
【００３５】
なお、本実施形態においては、プレート部材３０が略Ｖ字型であり、右側端部、左側端部、中央部、下側端部に連結孔を有する形態を例示したが、本考案におけるプレート部材の構造はこれに限定されず、上述した各部材と、紐状部材５０を介して連結可能であれば、どのような形状であってもよい。
【００３６】
本実施形態に係るプレート部材３０は、それ自体がアジャスターとしての機能を有しており、各連結部における紐５０ａの長さを調整し、保持することが可能である。
例えば、長さ調節手段６０を備えていない、紐５０ａにおけるプレート部材３０と楽器保持具４０とを連結している箇所であっても、本実施形態に係るプレート部材３０を用いることで、長さ調節が可能となる。
【００３７】
本実施形態に係る楽器保持部材４０は、クローバー型のフックであり、プレート部材３０と連結するための連結孔４１と、下側端部２２ａ及び下側端部２２ｂと連結するための連結孔４２を有している。
また、本実施形態に係る楽器保持部材４０は、楽器を保持するフック部分に、すべり止め４３を有している。
【００３８】
本実施形態において、楽器保持部材４０がクローバー型のフックである形態を例示したが、本考案における楽器保持部材４０の形状は、楽器を保持することが可能であれば特に限定されず、例えば、Ｓ字フック及びスナップフック等が挙げられる。
また、プレート部材３０と連結するための連結孔４１と、下側端部２２ａ及び下側端部２２ｂと連結するための連結孔４２とが、独立しておらず、一つの連結孔であってよい。
【００３９】
本実施形態において、楽器保持部材４０は、紐５０ｂに沿って、体の正面から横方向にスライド可能であり、位置調整をすることができる。
このような構成とすることで、楽器演奏者の好みの位置で楽器を保持することが可能となり、また、より楽器演奏時の動きや姿勢の制限をすることのない楽器用ストラップとなる。
【００４０】
なお、本実施形態においては、楽器保持部材４０が、紐５０ｂに沿って、体の正面から横方向にスライド可能な形態について例示したが、本考案はこれに限定されず、楽器保持部材４０が、スライド可能な形態でなくてもよい。
【００４１】
本実施形態に係る紐５０ａは、上側端部２１ａ、上側端部２１ｂ、プレート部材３０及び楽器保持部材をそれぞれ連結しており、上側端部２１ａ及び上側端部２１ｂと、プレート部材３０との間には、それぞれ長さ調節手段６０ａ及び６０ｂを備えている。
このような形態とすることで、より簡便に楽器用ストラップを体に適合するように、かつ演奏の邪魔とならないように調節することができる。
【００４２】
なお、本実施形態においては、一本の紐５０ａにより、上側端部２１ａ、上側端部２１ｂ及びプレート部材３０を連結する形態を例示したが、本考案はこれに限定されず、上側端部２１ａとプレート部材３０、上側端部２１ｂとプレート部材３０、プレート部材３０と楽器保持部材４０とを連結する紐状部材が、それぞれ独立していてもよい。この場合であっても、楽器用ストラップが体に適合するように、かつ演奏の邪魔とならないように調節することができる。
【００４３】
本実施形態に係る紐５０ｂは、下側端部２２ａ、下側端部２２ｂ及び楽器保持部材４０をそれぞれ連結しており、下側端部２２ａ及び下側端部２２ｂと、楽器保持部材４０との間には、それぞれ長さ調節手段６０ｃ及び６０ｄを有している。
このような形態とすることで、より簡便に楽器用ストラップを体に適合するように、かつ演奏の邪魔とならないように調節することができる。
【００４４】
なお、本実施形態において、一本の紐５０ｂにより、下側端部２２ａ、下側端部２２ｂ及び楽器保持部材４０を連結する形態を例示したが、本考案はこれに限定されず、下側端部２２ａと楽器保持部材４０、及び下側端部２２ｂと楽器保持部材４０とを連結する紐状部材が、それぞれ独立していてもよい。この場合であっても、楽器用ストラップが体に適合するように、かつ演奏の邪魔とならないように調節することができる。
【００４５】
紐５０ａ及び紐５０ｂの材質は特に限定されず、例えば、ナイロン製、ポリプロピレン製、ポリエチレン製及びアクリル製等を用いることができ、ナイロン製のものを用いることが好ましい。ナイロン製の紐を用いることで、耐久力が向上し、安定して楽器を保持することが可能となる。
【００４６】
また、本実施形態に係る紐５０ａ及び５０ｂは、それぞれ長さ調節手段６０ａ、６０ｂ並びに６０ｃ及び６０ｄを備える。
長さ調節手段６０ａ，６０ｂ，６０ｃ及び６０ｄは、楕円形であり、中心と、長手方向の両端に計三つの孔が等間隔に空いているアジャスターである。
長さ調節手段６０ａ〜６０ｄの使用方法は、紐５０ａ又は５０ｂを、当該三つの穴に縫うようにして通し、紐５０ａ又は５０ｂの先端部に結び目を作ることで固定する。このような構成とすることで、楽器用ストラップを簡便に調節することができ、かつ簡単に分解することが可能となり、カスタマイズやメンテナンスが容易となる。
【００４７】
本実施形態に係る長さ調節手段６０として、上述した形態のアジャスターについて例示したが、本考案における長さ調節手段６０は、紐又は紐状部材の長さ調節が可能であれば、いずれの長さ調節手段を用いてもよく、種々の形状のアジャスターを用いることができ、又は、自在結び等のように紐の結び方を工夫して、長さ調節を可能とした形態であってもよい。
【００４８】
また、本実施形態においては、紐５０ａ及び５０ｂが、それぞれ長さ調節手段６０ａ，６０ｂ並びに６０ｃ及び６０ｄを備える形態について例示したが、本発明はこれに限定されず、紐状部材５０及び紐５０ａが、長さ調節可能に設けられていればよい。
例えば、上述したプレート部材３０のように、各部材自体が紐５０ａ、紐５０ｂ及び紐状部材５０の長さを調節可能な機構を備える形態であってもよい。
【００４９】
本実施形態に係る楽器用ストラップ１０は、装着時に楽器演奏者の背面に位置する箇所において、右肩掛け帯状部材２０ａと左肩掛け帯状部材２０ｂとを橋架する帯状架橋部材７０を備える（図１、図３）。
帯状架橋部材７０を備えることにより、より安定して楽器を保持することが可能となる。
帯状架橋部材７０の材質は特に限定されないが、ゴム等の伸縮性がある材質であることが好ましい。
このような形態とすることで、より安定して楽器を保持することができることに加えて、圧迫感がなく、演奏の邪魔とならない。
【００５０】
なお、本実施形態においては、帯状架橋部材７０を備える形態について例示したが、本考案はこれに限定されず、帯状架橋部材７０を備えない形態としてもよい。特に、肩掛け部材２０が、Ｘ字型、Ｙ字型及びＶ字型等のように、右肩掛け帯状部材２０ａと左肩掛け帯状部材２０ｂとでそれぞれ独立していない形態の場合には、帯状架橋部材７０は不要である。
【００５１】
本実施形態に係る楽器用ストラップ１０は、右肩掛け帯状部材２０ａの下側端部２２ａにおける長さ方向に離間した２点間の距離よりも、長さが短い帯状の伸縮性部材８０を備える。
伸縮性部材８０は、両端に係合部８１を備えており、当該係合部８１と、下側端部２２ａにおける長さ方向に離間した２点とがそれぞれ係合している。その結果、本実施形態に係る楽器用ストラップ１０は、前記２点間にたわみが形成されている。
また、左肩掛け帯状部材２０ｂの下側端部２２ｂにおける長さ方向に離間した２点についても、同様にたわみが形成されている。
【００５２】
このような形態とすることで、本実施形態に係る楽器用ストラップ１０を装着し、楽器保持部材４０を用いて楽器を固定した場合において、伸縮性部材８０が伸縮することで、演奏者が楽器をある程度自在に操作することが可能となり、演奏時に動きが制限されることを抑制することができる。
【００５３】
なお、本実施形態においては、帯状の伸縮性部材８０を備える形態を例示したが、本考案はこれに限定されず、下側端部２２ａ及び２２ｂ側の所定の領域が伸縮可能に設けられている形態であればよい。例えば、伸縮性部材８０の形状は特に限定されず、ゴム紐等を用いることもできる。また、肩掛け帯状部材２０の下側端部２２ａ及び２２ｂ側の所定の領域自体が、伸縮性部材で構成されている形態であってもよい。また、下側端部２２ａ及び２２ｂ側の所定の領域が、伸縮可能でない形態であってもよい。
【産業上の利用可能性】
【００５４】
本考案は、演奏時に楽器を保持するために装着する、ストラップに応用することができる。
【符号の説明】
【００５５】
１０        楽器用ストラップ
２０        肩掛け部材
２０ａ      右肩掛け帯状部材
２０ｂ      左肩掛け帯状部材
２１ａ      右肩掛け帯状部材の上側端部
２１ｂ      左肩掛け帯状部材の上側端部
２２ａ      右肩掛け帯状部材の下側端部
２２ｂ      左肩掛け帯状部材の下側端部
２３ａ      右肩掛け帯状部材の折り縫い部
２３ｂ      左肩掛け帯状部材の折り縫い部
３０        プレート部材
３１ａ      右側連結孔
３１ｂ      左側連結孔
３２ａ      中央連結孔
３２ｂ      中央連結孔
３３ａ      下端連結孔
３３ｂ      下端連結孔
４０        楽器保持部材
４１        連結孔（紐５０ａを通す）
４２        連結孔（紐５０ｂを通す）
４３        すべり止め
５０ａ〜ｂ  紐
６０ａ〜ｄ  長さ調節手段
７０        帯状架橋部材
８０        伸縮性部材
８１        係合部
【図１】
0003213224.tif 000003
【図２】
0003213224.tif 000004
【図３】
0003213224.tif 000005
【図４】
0003213224.tif 000006
【図５】
0003213224.tif 000007